(57)【要約】【課題】複数の擬似白色ＬＥＤを用いる照明光学系で色度バラツキが大きくても補正用の青色ＬＥＤを用いることで原稿面上の色度バラツキを低減することができるスキャナ装置を提供すること。【解決手段】擬似白色ＬＥＤ８を点灯させたときのラインセンサ２１の赤出力、緑出力、青出力のバランスが所定の範囲となるように、第２の青色ＬＥＤ９のうち所定の青色ＬＥＤ９を適量の発光量で光らせるようになっている。【選択図】図２
2014053882.tif 000002
【特許請求の範囲】
【請求項１】
青色光を放出する第１の青色ＬＥＤと該第１の青色光を吸収し黄色の波長帯域の光を蛍光する蛍光体からなる擬似白色ＬＥＤが複数個と、
青色光を発光する第２の青色ＬＥＤが複数個と、
前記擬似白色ＬＥＤからの光を被照射部へ照明させる第１の照明光学系と、
前記第２の青色ＬＥＤからの光を前記被照射部へ照明させる第２の照明光学系と、
被照射部からの光を読み取るラインセンサと前記ラインセンサまで前記被照射部からの光を伝搬させる読取光学系とからなるスキャナ装置において、
前記擬似白色ＬＥＤを点灯させたときのラインセンサの赤出力、緑出力、青出力のバランスが所定の範囲となるように、前記第２の青色ＬＥＤのうち所定の青色ＬＥＤを適量の発光量で光らせることを特徴とするスキャナ装置。
【請求項２】
青色光を放出する第１の青色ＬＥＤと該第１の青色光を吸収し黄色の波長帯域の光を蛍光する蛍光体からなる擬似白色ＬＥＤが複数個と、
青色光を発光する第２の青色ＬＥＤが複数個と、
前記擬似白色ＬＥＤからの光を被照射部へ照明させる第１の照明光学系と、
前記第２の青色ＬＥＤからの光を前記被照射部へ照明させる第２の照明光学系と、
被照射部からの光を読み取るラインセンサと前記ラインセンサまで前記被照射部からの光を伝搬させる読取光学系とからなるスキャナ装置において、
前記擬似白色ＬＥＤを点灯させたときのラインセンサの赤出力、緑出力、青出力のバランスが所定の範囲となるように、前記第２の青色ＬＥＤのうち所定の青色ＬＥＤを適量の発光量で光らせ、かつ、前記擬似白色ＬＥＤの全てを減光させることを特徴とするスキャナ装置。
【請求項３】
請求項１又は２に記載のスキャナ装置において、前記第２の青色ＬＥＤのピーク波長は、複数個の第１の青色ＬＥＤのピーク波長のうち最も短い波長よりも短い、もしくは、最も長い波長よりも長いことを特徴とするスキャナ装置。
【請求項４】
請求項１又は２に記載のスキャナ装置において、第１照明光学系と第２照明光学系が共通であるひとつの光学系であることを特徴とするスキャナ装置。
【請求項５】
請求項１又は２に記載のスキャナ装置において、前記擬似白色ＬＥＤ光源と前記第２の青色ＬＥＤが一枚の実装ボード上に実装されることを特徴とするスキャナ装置。
【請求項６】
請求項１又は２に記載のスキャナ装置において、前記擬似白色ＬＥＤ光源と前記第２の青色ＬＥＤが一枚の実装ボード上に交互に実装されることを特徴とするスキャナ装置。
【発明の詳細な説明】
【技術分野】
【０００１】
この発明は、青色ＬＥＤチップと黄色蛍光体からなる擬似白色ＬＥＤが主走査方向に複数個配列された照明装置を用いたスキャナ装置に関するものである。
【背景技術】
【０００２】
従来の照明装置には、青色ＬＥＤチップおよび黄色蛍光体とを備える擬似白色ＬＥＤを用いたものが知られている。この擬似白色ＬＥＤは、青色ＬＥＤチップからの青色光が黄色蛍光体を透過する際、この青色光により黄色蛍光体を励起させて黄色の蛍光を発生させている。これにより、擬似白色ＬＥＤでは、黄色の蛍光と黄色蛍光体を透過する青色が合成させて白色光とし、この白色光を出射させるようになっている（例えば、特許文献１〜４参照）。
【０００３】
この照明装置の複数の擬似白色ＬＥＤは、青色光の発光量や青色光の蛍光体を通過する距離により、蛍光体を透過する青色光の割合が微妙に変動する。このため、分光特性または色度等の色（色調）が各擬似白色ＬＥＤごとにバラツキが生じることになる。この光源の色のバラツキを考慮しないで画像読み取りを行った場合、純白、黄色がかった白、青色がかった白など色のバラツキが発生するので、読み取り品質が劣化してしまう虞がある。
【０００４】
このような色調のバラツキをなくすための照明装置が知られている。例えば特許文献１（特開２００９−１６９１９８）に開示された照明ユニットが色調のバラツキをなくすための照明装置として知られている。この照明ユニットでは、原稿面に向けて照明光を照射させる複数の光源がライン状に配列されている。しかも、この照明ユニットでは、光源配列方向に広がる光束を光源配列方向に連続するようにして原稿面を照射する構成とすることにより、色のバラツキを少なくするようにしている。
【０００５】
この構成では、擬似白色ＬＥＤの色度バラツキが大きいと色味が場所ごとで異なってしまう。このため、光の出射角に応じた色差が所定値以下となる擬似白色ＬＥＤを選別して利用することで色調バラツキを抑えている。
【０００６】
しかしながら、色度バラツキを制限する場合には、特許文献１におけるように出射角に応じた色差が所定値以下となる擬似白色ＬＥＤの選別が必要になるため単価が高くなり、好ましくない。
【０００７】
また、特許文献３（特許第４５１１６３４号）では、青寄りの擬似白色ＬＥＤと黄色寄り擬似白色ＬＥＤを隣接配置すると共に、少なくとも一方をＰＷＭ制御して色調整する照明光学系としている。
【０００８】
この照明光学系では、主に青色発光素子の発光波長のバラツキによって色調のバラツキが生じる。この際の長手方向の分散（矢印線Ｂ）は、主に被覆部材に混入する蛍光粒子の量や分散のバラツキによって生じる。このバラツキを少なくするためには、発光色を所望の色度範囲にランク付けし選別された擬似白色ＬＥＤのみを用いて構成することが、中心色調、色調ムラ等の点で好ましい。
【０００９】
しかし、特定のランク付け品の擬似白色ＬＥＤのみを用いた構成の場合、他のランク品が不用となり、擬似白色ＬＥＤを入手するためのトータルコストとして割高となるという問題がある。
【００１０】
このため特許文献３では、所望の白色度から外れて広範な白色度で発光する擬似白色ＬＥＤを組合せて、広範な色度の擬似白色ＬＥＤの利用性を増やすことにより、擬似白色ＬＥＤの歩留りを向上させることも考えている。
【００１１】
しかし、このように広い範囲の色度バラツキの擬似白色ＬＥＤを受け入れると、照明ユニットを生産するときに投入できる擬似白色ＬＥＤを選別する工程が発生する。この場合も、擬似白色ＬＥＤを選別する工程のためのトータルコストとして割高となるという問題がある。
【００１２】
このような複数の擬似白色ＬＥＤを用いる照明光学系で色度バラツキが大きくても、原稿面上の色度バラツキを低減するために、擬似白色ＬＥＤを選別する工程を必要としない照明装置を提供できるのが望ましい。
【発明の概要】
【発明が解決しようとする課題】
【００１３】
ところで、特許文献２（特開２００９−２４５９０２）には、擬似白色ＬＥＤからの照明光とこの近傍に配置された青色ＬＥＤからの青色照明光を混色させるようにした面状照明装置及び液晶表示装置が開示されている。この面状照明装置及び液晶表示装置では、色再現性を向上させた光を出射することができ、液晶表示パネルから高画質な画像を表示することを可能にする
【００１４】
この面状照明装置には、擬似白色ＬＥＤと青色ＬＥＤを交互に直線状（ライン状）に配列した光源ユニットで液晶表示パネルのコンタクトガラスの被照射部を照射するようにしている。
【００１５】
しかしながら、主走査方向における色度のバラツキを補正することについては必ずしも考慮されていないものであった。
【００１６】
そこで、この発明は、複数の擬似白色ＬＥＤを用いる照明光学系で色度バラツキが大きくても補正用の青色ＬＥＤを用いることで原稿面上の色度バラツキを低減することができるスキャナ装置を提供することを目的とするものである。
【課題を解決するための手段】
【００１７】
この目的を達成するため、この発明のスキャナ装置は、青色光を放出する第１の青色ＬＥＤと該第１の青色光を吸収し黄色の波長帯域の光を蛍光する蛍光体からなる擬似白色ＬＥＤが複数個と、青色光を発光する第２の青色ＬＥＤが複数個と、前記擬似白色ＬＥＤからの光を被照射部へ照明させる第１の照明光学系と、前記第２の青色ＬＥＤからの光を前記被照射部へ照明させる第２の照明光学系と、被照射部からの光を読み取るラインセンサと前記ラインセンサまで前記被照射部からの光を伝搬させる読取光学系とからなるスキャナ装置において、前記擬似白色ＬＥＤを点灯させたときのラインセンサの赤出力、緑出力、青出力のバランスが所定の範囲となるように、前記第２の青色ＬＥＤのうち所定の青色ＬＥＤを適量の発光量で光らせることを特徴とする。
【発明の効果】
【００１８】
この構成によれば、複数の擬似白色ＬＥＤを用いる照明光学系で色度バラツキが大きくても補正用の青色ＬＥＤを用いることで原稿面上の色度バラツキを低減することができる。
【図面の簡単な説明】
【００１９】
【図１】本発明の実施形態に係る照明光学系を用いたスキャナ装置の実施例１を示す概略説明図である。
【図２】図１の光源ユニットであって、複数の擬似白色ＬＥＤ及び第２の青色ＬＥＤがライン状に配列された光学系の光源ユニットの平面図である。
【図２Ａ】図２の光源ユニットの制御回路図である。
【図３】光源ユニットの主走査方向の中心（主走査基準位置Ｂｐ）から主走査方向に位置する複数の擬似白色ＬＥＤの距離と色度Ｃｘ．Ｃｙとの関係を示す説明図であって、照明ムラを説明する説明図である。
【図４】図３の照明ムラが補正された後における、光源ユニットの主走査方向の中心（主走査基準位置Ｂｐ）から主走査方向に位置する複数の擬似白色ＬＥＤの距離と色度Ｃｘ．Ｃｙとの関係を示す説明図である。
【図５】実施例２における光源ユニットの主走査方向の中心（主走査基準位置Ｂｐ）から主走査方向に位置する複数の擬似白色ＬＥＤの距離と色度Ｃｘ．Ｃｙとの関係を示す説明図であって、照明ムラの他の例を説明する説明図である。
【図６】図５の照明ムラが補正された後における、光源ユニットの主走査方向の中心（主走査基準位置Ｂｐ）から主走査方向に位置する複数の擬似白色ＬＥＤの距離と色度Ｃｘ．Ｃｙとの関係を示す説明図である。
【図７】実施例３における複数の擬似白色ＬＥＤ及び第２の青色ＬＥＤがライン状に配列された光学系の光源ユニットの他の例を示す平面図である。
【図８】光源ユニットの主走査方向の中心（主走査基準位置Ｂｐ）から主走査方向に位置する複数の擬似白色ＬＥＤの距離と色度Ｃｘ．Ｃｙとの関係を示す説明図であって、照明ムラの更に他の例を説明する説明図である。
【図９】図８の光源ユニットの照明ムラが生じる原因、即ち擬似白色ＬＥＤのピーク波長とその強度との関係を示す光強度特性線図である。
【図１０】図８の照明ムラが補正された後における、光源ユニットの主走査方向の中心（主走査基準位置Ｂｐ）から主走査方向に位置する複数の擬似白色ＬＥＤの距離と色度Ｃｘ．Ｃｙとの関係を示す説明図である。
【図１１】本発明の実施形態に係る照明光学系を用いたスキャナ装置の実施例４を示す概略説明図である。
【図１２】複数の擬似白色ＬＥＤ及び第２の青色ＬＥＤがライン状に配列された光学系の光源ユニットの更に他の例を示す実施例５の平面図である。
【図１３】本発明のスキャナ装置の実施例６を説明するためのラインセンサーの相対色度分布図である。
【発明を実施するための形態】
【００２０】
以下、本発明に係る照明光学系を用いたスキャナ装置の実施の形態を図面に基づいて説明する。
【００２１】
（実施例１；発明の原理説明その１）
［構成］
＜スキャナ装置の全体概略構成＞
図１は、本発明の実施形態に係る照明光学系を用いたスキャナ装置の概略説明図である。また、図２は図１に示した照明光学系の光源ユニットである。
【００２２】
この図１において、左右方向をスキャナ装置のＸ軸方向、紙面に垂直な方向をスキャナ装置のＹ軸方向、紙面の上下方向をスキャナ装置のＺ軸方向とする。また、Ｙ軸方向をスキャナ装置の主走査方向、Ｘ軸方向をスキャナ装置の副操作方向として構成を説明する。
【００２３】
図１において、１は読取原稿が載置されるスキャナ装置のコンタクトガラス、２は読取原稿が載置されるコンタクトガラス１の原稿載置面である。また、３は原稿載置面２上に載置される読取原稿（図示せず）に原稿読取のための照明光を照射させる照明光学系（照明装置）である。さらに、４はＹ軸方向（主走査方向）に直線状に延びたミラーで、導光板６から出射される光の一部を折り返して原稿載置面２上の読取原稿面に照射することによって、両方向（＋Ｘ方向および−Ｘ方向）から照射している。
この読取原稿（図示せず）から反射した反射光は、原稿読取りのための読取光学系１１に導かれる。この読取光学系１１は、ラインセンサ２１と、原稿載置面２上の読取原稿(図示せず)からの反射光をラインセンサ２１に導く案内光学系（受光光学系）１１ａを有する。この案内光学系１１ａは、縮小光学レンズ１２と、原稿載置面２上の読取原稿(図示せず)から反射光を縮小光学レンズ１２に導く光案内装置（光反射装置）Ｍを備えている。この光案内装置Ｍは、複数の第１ミラーＭ１、第２ミラーＭ２、第３ミラーＭ３を光反射部材（光案内部材）として備えている。
【００２４】
＜照明光学系３＞
照明光学系３は、Ｙ軸方向（主走査方向）に直線状に延びる光源ユニット５と、Ｙ軸方向（主走査方向）に直線状に延びて光源ユニット５からの照明光を原稿載置面２に導く導光板（照明光学系）６を有する。この光源ユニット５は制御回路（制御装置）２０により駆動制御されるようになっている。
【００２５】
この光源ユニット５及び導光板６は、Ｘ軸方向（副走査方向）に進退駆動させられる移動部材（図示せず）に保持されている。
【００２６】
この光源ユニット５は、図１，図２のＹ軸方向（主走査方向）に延び且つ図１のＸ軸方向（副走査方向）に進退駆動させられる移動部材（図示せず）に取り付けられた実装ボード７を有する。また、光源ユニット５は、Ｙ軸方向（主走査方向）に所定間隔をおいて実装ボード７に実装された複数の擬似白色ＬＥＤ８と、複数の擬似白色ＬＥＤ８の隣接するもの同士の間に位置させて実装ボード７に実装された複数の青色ＬＥＤ９を有する。
【００２７】
尚、この擬似白色ＬＥＤ８は、擬似白色用の青色ＬＥＤチップと、この青色ＬＥＤチップからの青色光が透過させられるが黄色蛍光体を備えている。この擬似白色ＬＥＤ８は、青色ＬＥＤチップからの青色光が黄色蛍光体を透過する際、この青色光により黄色蛍光体を励起させて黄色の蛍光を発生させている。これにより、擬似白色ＬＥＤ８では、黄色の蛍光と黄色蛍光体を透過する青色が合成されることにより白色光となって出射される。この擬似白色ＬＥＤ８には周知の構成が採用できる。
【００２８】
本実施例では、例えば図２，図２Ａに示したように擬似白色ＬＥＤ８が５０個（図２，図２ＡのＷｉ，ｉ＝１，２，３・・・５０）設けられていて、隣り合う擬似白色ＬＥＤ８，８間の隙間に青色ＬＥＤ９が配置されている。したがって、本実施例では青色ＬＥＤ９は４９個（図２，図２ＡのＢｉ，ｉ＝１，２，３・・・ｎ・・・４９）実装されている。この複数の擬似白色ＬＥＤ８と青色ＬＥＤ９はともに所定ピッチＰ１で実装されている。本実施例において擬似白色ＬＥＤ８と青色ＬＥＤ９はともに所定ピッチＰ１が６ｍｍに設定されている。この擬似白色ＬＥＤ８は、蛍光励起用の第１の青色ＬＥＤ（図示せず）と、この蛍光励起用の第１の青色ＬＥＤ（図示せず）の周囲を覆う黄色蛍光体（図示せず）を備えている。この構成には周知の構成が採用できるので、その詳細な図示は省略する。
【００２９】
また、複数の擬似白色ＬＥＤ８および複数の青色ＬＥＤ９は、図２Ａに示したように、制御回路（制御装置）２０により、発光量が制御されるようになっている。
【００３０】
尚、本実施例では、擬似白色ＬＥＤ８を５０個、青色ＬＥＤ９を４９個としているが、擬似白色ＬＥＤ８および青色ＬＥＤ９を４９の個数は５０個および４９個に限定されるものではない。この実施例において、複数の擬似白色ＬＥＤ８は上述したように主走査方向であるＹ軸方向に所定ピッチＰ１で配列されている。
【００３１】
この光源ユニット５の擬似白色ＬＥＤ８から出射される照明光は導光板６およびミラー４で原稿載置面２に導かれる。また、光源ユニット５の青色ＬＥＤ９（第２の青色ＬＥＤ）から出射される青色の照明光は導光板６およびミラー４で原稿載置面２に導かれる。この導光板６およびミラー４は、擬似白色ＬＥＤ８から出射される照明光を原稿載置面２に導く第１の照明光学系と、青色ＬＥＤ９から出射される青色の照明光を原稿載置面２に導く第２の照明光学系を兼用している。
【００３２】
しかも、複数の擬似白色ＬＥＤ８および青色ＬＥＤ９からの照明光は、原稿載置面２上の読取原稿（図示せず）に照射される。そして、原稿載置面２上の読取原稿（図示せず）からの反射光は、図１では図示しない読取光学系および図２Ａのラインセンサ（読取部、図１では不図示）２１に導かれる。この反射光は、図２Ａのラインセンサ（読取部）２１で読み取られる。
【００３３】
このような照明光の照射に際しては、原稿載置面２上に基準白板（図示せず）を原稿に代えて配設しておく。これにより、図２Ａのラインセンサ（読取部）２１からのＲ，Ｇ，Ｂの出力から原稿載置面２上の基準白板（図示せず）への被照射面（原稿面）の色度が検出される。
【００３４】
ここで、青色ＬＥＤ９を消灯させた状態で複数の擬似白色ＬＥＤ８を点灯させ、複数の擬似白色ＬＥＤ８の照明光のみにより原稿載置面２上の基準白板（図示せず）を照明したとき、擬似白色ＬＥＤ８のみによる被照射面（原稿面）の色度を検出できる。
【００３５】
この原稿載置面２上の基準白板（図示せず）への被照射面（原稿面）の色度を主走査方向（図１のＹ軸方向）にグラフ化すると、図３のようになる。尚、このグラフ化にあたり、光線追跡シミュレータとしてライトツールズ（Ｌｉｇｈｔ  Ｔｏｏｌｓ）バージョン７．２を用いて光線追跡計算を行った。
【００３６】
この図３は、複数の擬似白色ＬＥＤ８の主走査方向への配列の中心位置を主走査方向の「０」位置である主走査基準位置Ｂｐとして、この主走査基準位置Ｂｐから主走査方向における主走査位置の色度Ｃｘ，Ｃｙを示したものである。
【００３７】
この図３において、上下・左右に対角を有する四角形の上側の配列は色度Ｃｘを示し、下側の四角形の配列は色度Ｃｙを示している。この点は、以下の図４，図５，図６，図８，図１０でも同じである。
【００３８】
上述した５０個の擬似白色ＬＥＤ８のうち主走査基準位置Ｂｐから色度変化を検出した検出距離の主走査位置に位置する擬似白色ＬＥＤ８だけが発光スペクトル（すなわち色度）が異なる。即ち、主走査基準位置Ｂｐから色度変化を検出した検出距離の主走査位置に位置する擬似白色ＬＥＤ８の青波長帯域のピーク波長が長波長側に５ｎｍシフトしている。
【００３９】
本実施例では、５０個の擬似白色ＬＥＤ８のうち主走査基準位置Ｂｐから８７ｍｍの主走査位置に位置する擬似白色ＬＥＤ８だけが発光スペクトル（すなわち色度）が異なる。即ち、この位置の擬似白色ＬＥＤ８だけが青波長帯域のピーク波長が長波長側に５ｎｍシフトしている。
【００４０】
主走査位置８７ｍｍに位置する擬似白色ＬＥＤ８の色度は、青帯域のピーク波長が長波長にシフトしているため座標ｘ、ｙが他よりも大きくなる。この状態では単一色の原稿を読み取ったとしても主走査位置８７ｍｍ付近の照明光の色味が異なるため、色ずれを起こす。
【００４１】
実装ボード７に実装された４９個の青色ＬＥＤ９のスペクトルは、擬似白色ＬＥＤ８の蛍光励起用の青色ＬＥＤ（図示せず）と同一のスペクトルの青帯域を有する。
【００４２】
また、本実施例では、５０個の擬似白色ＬＥＤ８のうち、主走査基準位置Ｂｐから８７ｍｍの主走査位置に位置する擬似白色ＬＥＤ８の青波長帯域のピーク波長が長波長側に５ｎｍシフトしている。この結果、主走査基準位置Ｂｐから８７ｍｍの主走査位置に位置する擬似白色ＬＥＤ８だけが発光スペクトル（すなわち色度）が異なっている。
【００４３】
従って、制御回路２０は、複数の青色ＬＥＤ９のうちこの主走査位置８７ｍｍに最も近い青色ＬＥＤ９、即ち主走査基準位置Ｂｐから主走査位置９０ｍｍに位置する青色ＬＥＤ９のみを擬似白色ＬＥＤ８の０．０７倍の発光量で発光させるようになっている。このときの原稿面の色度分布は図４のようになり、８７ｍｍ付近の色ムラを低減することができる。
【００４４】
尚、本実施例では、主走査基準位置Ｂｐから主走査位置９０ｍｍに位置する青色ＬＥＤ９のみを擬似白色ＬＥＤ８の０．０７倍の発光量で発光させている。しかし、青色ＬＥＤ９の発光量は擬似白色ＬＥＤ８の青波長帯域のピーク波長のシフト量でも異なるので、０．０７倍の発光量に限定されるものではない。即ち、青色ＬＥＤ９の発光量は、擬似白色ＬＥＤ８の青波長帯域のピーク波長のシフト量に応じて、色ムラを低減するように制御されるようになっている。
【００４５】
このような制御回路２０による制御を行うために、擬似白色ＬＥＤ８の青波長帯域のピーク波長のシフト量に応じて予め求めた試験値等に基づいて、補正データを設定しておき、この補正データをメモリ２２に記憶させておく。
【００４６】
この制御回路２０は、色ムラを低減させるための青色ＬＥＤ９の発光制御をメモリ２２（記録部である記憶部）に記憶させた補正データに基づいて実行できる。即ち、制御回路２０は、ラインセンサ２１からの色度の情報に基づいて、色ムラが生じている擬似白色ＬＥＤ８の位置、及び、この位置の擬似白色ＬＥＤ８の青波長帯域のピーク波長のシフト量等の色ムラ情報を求める。これらの位置色ムラ情報はメモリ２２に記憶させておく。一方、制御回路２０は、この求めた色ムラ情報に基づいてメモリ２２に記録した補正データから色ムラが最小限となる補正用の青色ＬＥＤ９の位置および発光量を求めて、この求めた位置の青色ＬＥＤ９を求めた発光量で発光制御する。
【００４７】
また、本実施例では、５０個の擬似白色ＬＥＤ８のうち主走査基準位置Ｂｐから色度変化検出距離すなわち本実施例では８７ｍｍの主走査位置に位置する擬似白色ＬＥＤ８だけが発光スペクトル（すなわち色度）が長波長側に異なるとしている。しかし、８７ｍｍの主走査位置以外の距離に位置する擬似白色ＬＥＤ８の発光スペクトル（すなわち色度）が長波長側に異なる場合もある。この場合には、８７ｍｍの主走査位置以外の距離に位置する擬似白色ＬＥＤ８についても、この擬似白色ＬＥＤ８に最も近い青色ＬＥＤ９の発光量を制御させる。
【００４８】
このように制御回路２０は、複数の擬似白色ＬＥＤ８のうち色度が長波長側に異なる擬似白色ＬＥＤ８を検出したとき、原稿面の色度分布の色ムラを低減させる制御をおこなう。この際、制御回路２０は、検出した色度の異なる擬似白色ＬＥＤ８が主走査基準位置Ｂｐからの色度変化を検出した検出距離に最も近い青色ＬＥＤ９の発光量を、原稿面の色度分布の色ムラが最小限となるように制御する。
【００４９】
（実施例２）
実施例１の変形例として、主走査基準位置Ｂｐから主走査位置８７ｍｍに位置する擬似白色ＬＥＤ８の青帯域のピーク波長が短波長側に５ｎｍシフトした場合の補正について説明する。
【００５０】
図５は５０個の擬似白色ＬＥＤ８を光らせたときの主走査方向色度分布を示す。この図５において、主走査基準位置Ｂｐから主走査位置８７ｍｍに位置する擬似白色ＬＥＤ８からの光は色度座標ｘ、ｙがともに小さめとなっていて、図５の分布のように色ムラ（色ずれ）が生じている。本実施例でも補正用の青色ＬＥＤは、実施例１と同様に、複数の擬似白色ＬＥＤ８のうち同じスペクトル同士の４９個の青帯域のスペクトルと同一とする。
【００５１】
本実施例では、主走査基準位置Ｂｐから主走査位置９０ｍｍに位置する青色ＬＥＤ９以外の４８個の青色ＬＥＤ９を擬似白色ＬＥＤ８の０．０７倍の発光量で光らせた。光線追跡計算の結果、図６に示すとおり、色度ずれが低減された。
【００５２】
実施例１および実施例２では、補正用の青色ＬＥＤ９のスペクトルは、擬似白色ＬＥＤ８の青帯域のピーク波長のバラツキの最も短波長と一致するように設定している。補正用の複数のＬＥＤの発光スペクトルは等しいことが望ましい。擬似白色ＬＥＤ８の青帯域のピーク波長のバラツキ中にあると補正効果が弱まる。効果が高くなるのは、擬似白色ＬＥＤ８の青帯域のピーク波長のバラツキの短波長以下、もしくは、バラツキの長波長以上の場合である。
【００５３】
尚、本実施例でも、主走査基準位置Ｂｐから主走査位置９０ｍｍに位置する青色ＬＥＤ９以外の青色ＬＥＤ９を擬似白色ＬＥＤ８の０．０７倍の発光量で発光させている。しかし、この主走査基準位置Ｂｐから主走査位置９０ｍｍに位置する擬似白色ＬＥＤ８の青波長帯域のピーク波長の短波長側へのシフト量でも、色度ずれがある。この色度ずれを低減させるために、主走査基準位置Ｂｐから主走査位置９０ｍｍに位置する青色ＬＥＤ９以外の青色ＬＥＤ９の発光量を異ならせる必要がある。この際の発光量は０．０７倍の発光量に限定されるものではない。
【００５４】
即ち、主走査基準位置Ｂｐから主走査位置９０ｍｍに位置する青色ＬＥＤ９以外の青色ＬＥＤ９の青色ＬＥＤ９の発光量は、擬似白色ＬＥＤ８の青波長帯域のピーク波長のシフト量に応じて、色ムラを低減するように制御する。
【００５５】
この制御を行うために、擬似白色ＬＥＤ８の青波長帯域のピーク波長のシフト量に応じて予め求めた試験値等に基づいて、補正データを設定しておき、この補正データをメモリ２２に記憶させておくものとする。
【００５６】
これにより、色ムラを低減させる青色ＬＥＤ９の発光量の制御は、メモリ２２に記憶させた補正データに基づいて実行できる。即ち、制御回路２０は、ラインセンサ２１からの色度の情報に基づいて、色ムラが生じている擬似白色ＬＥＤ８の位置、及び、この位置の擬似白色ＬＥＤ８の青波長帯域のピーク波長のシフト量等の色ムラ情報を求める。この位置や色ムラ情報等はメモリ２２に記憶させておく。一方、制御回路２０は、求めた色ムラ情報に基づいてメモリ２２に記録した補正データから色ムラが最小限となる補正用の青色ＬＥＤ９の位置および発光量を求めて、この求めた位置の青色ＬＥＤ９を求めた発光量で発光制御する。
【００５７】
また、本実施例では、５０個の擬似白色ＬＥＤ８のうち主走査基準位置Ｂｐから色度変化検出距離すなわち本実施例では８７ｍｍの主走査位置に位置する擬似白色ＬＥＤ８だけが発光スペクトル（すなわち色度）が短波長に異なるとしている。しかし、８７ｍｍの主走査位置以外の距離に位置する擬似白色ＬＥＤ８の発光スペクトル（すなわち色度）が短波長に異なる場合もある。この場合、８７ｍｍの主走査位置以外の距離に位置する擬似白色ＬＥＤ８についても、この擬似白色ＬＥＤ８に最も近い青色ＬＥＤ９以外の青色ＬＥＤ９の発光量を制御させることで、色ムラを低減できる。
【００５８】
このように制御回路２０は、複数の擬似白色ＬＥＤ８のうち色度が短波長側に異なる擬似白色ＬＥＤ８を検出する。そして、制御回路２０は、検出した色度の異なる擬似白色ＬＥＤ８が主走査基準位置Ｂｐからの色度変化検出距離に最も近い青色ＬＥＤ９以外の青色ＬＥＤ９の発光量を制御する。これにより、原稿面の色度分布の色ムラを低減させることができる。
【００５９】
（実施例３）
実施例１，２の変形例として、黄色波長帯域が異なった場合として実施例３として説明する。
【００６０】
図７は本実施例の実装ボード７上のＬＥＤを表している。擬似白色ＬＥＤ８は３０個（Ｗｉ，ｉ＝１，２，３，・・・３０）、青色ＬＥＤ９は１５個（Ｂｉ，ｉ＝１，２，３，・・・１５）使用する。実装ピッチは擬似白色ＬＥＤ８が１０ｍｍピッチ、青色ＬＥＤ９が２０ｍｍピッチとした。
【００６１】
図７に示したように本実施例において実装ボード７の端部には、端に１個の擬似白色ＬＥＤ８が設けられている。しかも、実装ボード７の端部には、端の１個の擬似白色ＬＥＤ８から主走査方向の中央側に１個の青色ＬＥＤ９が設けられている。
【００６２】
また、実装ボード７には、端部の１個の青色ＬＥＤ９の次に主走査方向に２個の擬似白色ＬＥＤ８と１個の青色ＬＥＤ９が交互に配置されている。この構成で擬似白色ＬＥＤ８は、端部に１個が配置されている以外は、青色ＬＥＤ９，９間に２個配置されている。このようにして、擬似白色ＬＥＤ８は実装ボード７の長手方向に３０個が配置されている。尚、本実施例では、擬似白色ＬＥＤ８の数を３０個としているが、この数に限定されるものではない。要は擬似白色ＬＥＤ８が、端部に１個が配置されている以外は、青色ＬＥＤ９，９間に２個配置されている構成となっていればよい。
【００６３】
しかも、補正用の青色ＬＥＤ９のスペクトルは、３０個の擬似白色ＬＥＤ８の青帯域スペクトル成分と同じとした。
【００６４】
擬似白色ＬＥＤ８のうち、主走査基準位置Ｂｐから主走査位置９０ｍｍに位置する端から７番目の擬似白色ＬＥＤ８（Ｗ７）が残りの２９個の擬似白色ＬＥＤ８に比べて黄色帯域のスペクトル強度が１．７倍大きいとした（図９）。この場合、主走査位置の色度分布は図８に示すとおり、主走査位置９０ｍｍ付近が色度座標ｘ、ｙともに大き目の数値となって色度ムラが発生している。
【００６５】
複数の補正用の青色ＬＥＤ９のうち、端から３つめ（Ｂ３）の青色ＬＥＤ９を擬似白色ＬＥＤ８の１／６０倍の光量で光らせ、かつ、端から４つめ（Ｂ４）の青色ＬＥＤ９を擬似白色ＬＥＤ８の１／３０倍の光量で光らせた。このときの原稿面上の色度分布は図１０に示すとおりで、色度ムラが低減された。
【００６６】
本実施例では、青色ＬＥＤ９が擬似白色ＬＥＤ８の数に比べて半分の数にもかかわらず、所定の青色ＬＥＤ９を適量の光量で発光させられることによって実施例１，２と同様の効果が得られた。
【００６７】
尚、本実施例でも、主走査基準位置Ｂｐから主走査位置９０ｍｍに位置する端から７番目の擬似白色ＬＥＤ８（Ｗ７）が残りの２９個の擬似白色ＬＥＤ８に比べて黄色帯域のスペクトル強度よりも大きい場合もある。この場合、端から３つめ（Ｂ３）の青色ＬＥＤ９の発光量は上述した擬似白色ＬＥＤ８の１／６０倍に限定されるものではない。しかも、端から４つめ（Ｂ４）の青色ＬＥＤ９を擬似白色ＬＥＤ８の発光量も、上述した擬似白色ＬＥＤの１／３０倍に限定されるものでもない。
【００６８】
例えば、主走査基準位置Ｂｐから主走査位置９０ｍｍに位置する端から７番目の擬似白色ＬＥＤ８（Ｗ７）が残りの２９個の擬似白色ＬＥＤ８に比べて黄色帯域のスペクトル強度が１．７倍以外の大きさの場合がある。この場合、色度ムラの状態も黄色帯域のスペクトル強度の１．７倍と大きく異なる。この場合でも、端から３つめ（Ｂ３）の青色ＬＥＤ９の発光量は上述した擬似白色ＬＥＤ８の１／６０倍に限定されない。また、端から４つめ（Ｂ４）の青色ＬＥＤ９を擬似白色ＬＥＤ８の発光量は上述した擬似白色ＬＥＤの１／６０倍，１／３０倍に限定されない。要は、色ムラがなくなるように端から４つめ（Ｂ４）の青色ＬＥＤ９を擬似白色ＬＥＤ８の発光量が制御される。
【００６９】
上述したように、端から７番目の擬似白色ＬＥＤ８（Ｗ７）が残りの２９個の擬似白色ＬＥＤ８に比べて黄色帯域のスペクトル強度が１．７倍大きく、主走査位置９０ｍｍ付近が色度座標ｘ、ｙともに大き目の数値となっている。これは色度ムラが発生していることを示している。本実施例では、このような色度ムラが発生している場合の色ムラの補正について説明した。
【００７０】
しかし、この補正は主走査位置９０ｍｍの擬似白色ＬＥＤ８に対してのみ限定されるものではない。
【００７１】
例えば、主走査位置９０ｍｍ以外の距離の主走査位置の擬似白色ＬＥＤ８の黄色帯域のスペクトル強度が他の擬似白色ＬＥＤ８の黄色帯域のスペクトル強度より大きい場合も考えられる。この場合、黄色帯域のスペクトル強度が大きい擬似白色ＬＥＤ８を挟む一対の青色ＬＥＤ９，９の発光量を擬似白色ＬＥＤ８の発光量よりも小さく制御する。しかも、これに加えて、黄色帯域のスペクトル強度が大きい擬似白色ＬＥＤ８に近い側の青色ＬＥＤ９の発光量を大きく制御する。このように、黄色帯域のスペクトル強度が大きい擬似白色ＬＥＤ８に遠い側の青色ＬＥＤ９の発光量を小さく制御することで、色ムラを低減できる。このような青色ＬＥＤ９の発光量の制御は制御回路２０により実行される。
【００７２】
この場合も、黄色帯域のスペクトル強度に応じて予め求めた試験値等に基づいて、補正データを設定して、この補正データをメモリ２２に記憶させておく。そして、このメモリ２２に記憶させた補正データに基づいて、青色ＬＥＤ９の発光量の制御を制御回路２０に実行させる。
【００７３】
即ち、制御回路２０は、ラインセンサ２１からの色度の情報に基づいて、色ムラが生じている擬似白色ＬＥＤ８の位置、及び、この位置の擬似白色ＬＥＤ８の青波長帯域のピーク波長のシフト量等の色ムラ情報を求める。そして、制御回路２０は、求めた色ムラ情報に基づいて補正データをメモリ２２に記録する。しかも、制御回路２０は、メモリ２２に記録した補正データから色ムラが最小限となる補正用の青色ＬＥＤ９の位置および発光量を求めて、この求めた位置の青色ＬＥＤ９を求めた発光量で発光制御する。
【００７４】
上述したように、補正用の青色ＬＥＤ９，９間に位置する複数（本実施例では２個）の擬似白色ＬＥＤ８の一つの黄色帯域のスペクトル強度が、他の擬似白色ＬＥＤ８の黄色帯域のスペクトル強度よりも大きくなる場合がある。この場合、色度ムラが発生している。
【００７５】
本実施例では、黄色帯域のスペクトル強度が擬似白色ＬＥＤ８の黄色帯域のスペクトル強度よりも大きい擬似白色ＬＥＤ８を挟む一対の青色ＬＥＤ９，９の発光量を制御することで、色ムラが低減される。
【００７６】
この場合、黄色帯域のスペクトル強度が大きい擬似白色ＬＥＤ８を挟む一対の青色ＬＥＤ９，９の発光量は、この擬似白色ＬＥＤ８の発光量よりも小さく制御する。しかも、この際、黄色帯域のスペクトル強度が大きい擬似白色ＬＥＤ８に近い側の青色ＬＥＤ９の発光量を大きくし、黄色帯域のスペクトル強度が大きい擬似白色ＬＥＤ８に遠い側の青色ＬＥＤ９の発光量を小さくしている。
【００７７】
実施例１から実施例３では擬似白色ＬＥＤ８と補正用の青色ＬＥＤ９が１枚の実装ボードに直線状にレイアウトされていた。
【００７８】
しかし、補正用の青色ＬＥＤ９が主走査方向に垂直な方向にシフトされた配置であっても所定の位置の青色ＬＥＤ９を適量の発光量で発光させることで色度ムラを低減させることができる。さらに、青色ＬＥＤ９と擬似白色ＬＥＤ８が別の実装ボードであっても構わない。
【００７９】
（実施例４）
図１１は実施例４を説明するためのスキャナ装置の概略説明図である。
【００８０】
このスキャナ装置は、原稿を置くコンタクトガラス１と、コンタクトガラス１の原稿載置面２上の原稿に読み取り用の照明光を照射させる照明装置１０と、コンタクトガラス１の原稿載置面２上の原稿からの反射光から原稿を読み取る読取光学系（読取装置）１１を有する。
【００８１】
照明装置１０は、擬似白色ＬＥＤ８及び第１の照明光学系１０ａ、補正用の第２の青色ＬＥＤ９及び第２の照明光学系１０ｂを有する。尚、第１の照明光学系１０ａと第２の照明光学系１０ｂはともに導光板を用いている。
【００８２】
読取光学系１１は、原稿載置面２上の原稿に照射されて反射する照明光の反射光から原稿を読み取るラインセンサ２１と、このラインセンサ２１に原稿載置面２上の原稿からの反射光を導く案内光学系（受光光学系）１１ａを有する。
【００８３】
この案内光学系１１ａは、縮小光学レンズ１２と、コンタクトガラス１の原稿載置面２上の原稿に照明光を照射したときに、原稿からの照明光の反射光を縮小光学レンズ１２に導く光案内装置（光反射装置）Ｍを備えている。この光案内装置Ｍは、複数の第１ミラーＭ１、第２ミラーＭ２、第３ミラーＭ３を光反射部材（光案内部材）として備えている。
【００８４】
この縮小光学レンズ１２で縮小される反射光束は、縮小されてラインセンサ２１に投影され、コンタクトガラス１の原稿載置面２上の原稿（図示せず）の反射光によるライン状原稿像をラインセンサ２１上に結像させる。尚、ラインセンサ２１電装系には周知の構成を採用できるので、図示および説明は省略する。
【００８５】
このスキャナ装置で色度ムラを補正する手順は次のとおりである。
【００８６】
まず、コンタクトガラス１の原稿載置面２上に基準白板（図示略）をおいて、擬似白色ＬＥＤ８を点灯させる。この擬似白色ＬＥＤ８からの照明光は、第１の照明光学系１０ａを介してコンタクトガラス１の原稿載置面２上の基準白板（図示せず）に照射され、基準白板（図示せず）で反射させられる。
【００８７】
この基準白板（図示せず）からの照明光の反射光は、読取光学系１１の第１ミラーＭ１、第２ミラーＭ２、第３ミラーＭ３で縮小光学レンズ１２に導かれる。この反射光は、縮小光学レンズ１２で縮小させられて、ラインセンサ２１に入射させられる。このラインセンサ２１は、Ｒ，Ｇ，Ｂ出力から色度ムラに対応するＲ，Ｇ，Ｂの比率のムラを調べることで、基準白板（図示せず）からの反射光のＲ，Ｇ，Ｂの色、即ち色度を読み取る。
【００８８】
この際、許容できないムラが発生した位置（主走査位置）の色度のずれ方向、すなわち、色度座標ｘ、ｙの増減方向と、補正用の青色ＬＥＤ９のスペクトルが短波長寄りか長波長寄りかによって、発光させる青色ＬＥＤ９を決定する。
【００８９】
そして、色度ムラ、すなわち、Ｒ，Ｇ，Ｂ比率のムラが許容されるレベルに改善されるように青色ＬＥＤ９の発光量をコントロールする。
【００９０】
本実施例は、複数の第１〜第３ミラーを有する光案内装置Ｍと縮小光学レンズ１２を用いた読取光学系１１に、縮小光学系タイプを適用した例を示している。しかし、セルフォックレンズとラインセンサからなると等倍光学系タイプ、いわゆる、密着イメージセンサ（ＣＩＳ）を用いた読取光学系に、本実施例の青色ＬＥＤ９の発光量の制御を適用しても、本発明の効果は変わらない。
【００９１】
また、第１，第２の照明光学系１０ａ，１０ｂには導光板以外にも、ミラー、ロッドレンズ、拡散シートなど各種の照明方式に本実施例の青色ＬＥＤ９の発光量の制御を適用しても、本発明の効果は変わらない。
【００９２】
（実施例５）
実施例１では、擬似白色ＬＥＤ８と青色ＬＥＤ９を１直線上に等ピッチに配置した例を示したが、必ずしもこれに限定されるものではない。例えば、図１２に示したように、擬似白色ＬＥＤ８と青色ＬＥＤ９とを１直線上ではないレイアウトにしても良い。この図１２は、実施例１の変形例を示したものである。
【００９３】
この図１２の実施例５では、照明系は基本的に実施例１の図１と同様であるが、実装ボード７に配置される擬似白色ＬＥＤ８と青色ＬＥＤ９の位置が実施例１の図２と異なる。
【００９４】
すなわち、この図１２の実装ボード７には、実施例１と同様に、複数の擬似白色ＬＥＤ８と複数の補正用の青色ＬＥＤ９が実装される。しかし、図１２では、複数の擬似白色ＬＥＤ８と複数の補正用の青色ＬＥＤ９の配置は図２のレイアウトとは異なり、擬似白色ＬＥＤ８と補正用の青色ＬＥＤ９を実施例１のように１直線上にはレイアウトさせていない。
【００９５】
本実施例では、補正用の青色ＬＥＤ９を主走査方向（図１２の左右方向）と直交する方向にシフトさせて実装している。即ち、複数の擬似白色ＬＥＤ８の配列ライン８Ｌと複数の補正用の青色ＬＥＤ９の配列ライン９Ｌを、主走査方向（図１２の左右方向）と直交する方向にシフトさせて実装している。この際、複数の擬似白色ＬＥＤ８の配列ライン８Ｌと複数の補正用の青色ＬＥＤ９の配列ライン９Ｌは、重ならないように近接配置させている。
【００９６】
このレイアウトによって、擬似白色ＬＥＤ８の主走査位置および実装ピッチと、補正用の青色ＬＥＤ９の主走査位置および実装ピッチは、互いに自由に設定することができ、最小個数の青色ＬＥＤ９で補正が可能になる。
【００９７】
また、図１２のように擬似白色ＬＥＤ８を主走査方向に対して不等ピッチで配置する場合、実装ピッチが短い箇所でも青色ＬＥＤ９との物理的な干渉を避けることができる。
【００９８】
（実施例６）
この実施例６は、図２Ａの読取用ラインセンサ（ＣＣＤ）２１のＲ，Ｇ，Ｂ出力バランスをとるために、読取用ラインセンサ（ＣＣＤ）２１の主走査位置に対する他の走査位置の色度ムラを低減させる例を示したものである。この実施例６は、実施例１の実装ボード７および読取用ラインセンサ（ＣＣＤ）２１と、実施例２及び実施例３の構成を用いて、色度ムラの補正の原理をより具体的に説明した例を示したものである。尚、上述した実施例１から実施例３では主走査位置での色度ムラの補正をしている。
【００９９】
実施例２は、上述したように、実装ボード７の主走査基準位置Ｂｐから主走査位置９０ｍｍに位置する青色ＬＥＤ９以外の４８個の青色ＬＥＤ９を擬似白色ＬＥＤ８の０．０７倍の発光量で光らせて、補正するようにしたものである。
【０１００】
この実施例２では、補正前に先ず図２Ａの制御回路２０により青色ＬＥＤ９を消灯させた状態で複数の擬似白色ＬＥＤ８を点灯させ、複数の擬似白色ＬＥＤ８の照明光のみにより図１の原稿載置面２上の基準白板（図示せず）を照明させる。
【０１０１】
この照明により原稿載置面２上の基準白板（図示せず）で照明光が反射させられ、この際の反射光が読取用ラインセンサ（ＣＣＤ）２１で読み取られる。この際、読取用ラインセンサ（ＣＣＤ）２１からはＲ，Ｇ，Ｂ出力すなわちＲ，Ｇ，Ｂ輝度の出力値が得られ、この出力が制御回路２０に入力される。この制御回路２０は、読取用ラインセンサ（ＣＣＤ）２１のＲ，Ｇ，Ｂ出力を算出する。
【０１０２】
尚、この読取用ラインセンサ（ＣＣＤ）２１には赤、緑、青のカラーフィルタ（図示せず）が設置されており、この各色の相対感度特性は図１３に示すものとする。この青のカラーフィルタによる読取用ラインセンサ（ＣＣＤ）２１の相対感度特性は、相対感度特性線ｆＢで示したように、４００ｎｍ〜５５０ｎｍの帯域で感度を有し、且つ４５０ｎｍ付近に感度のピークを有する。また、緑のカラーフィルタによる読取用ラインセンサ（ＣＣＤ）２１の相対感度特性は、相対感度特性線ｆＧで示したように、４５０ｎｍ〜６４０ｎｍの帯域で感度を有し、且つ５３０ｎｍ付近に感度のピークを有する。更に、赤のカラーフィルタによる読取用ラインセンサ（ＣＣＤ）２１の相対感度特性は、相対感度特性線ｆＲで示したように、５５０ｎｍ〜８００ｎｍの帯域で感度を有し、且つ６２０〜６５０ｎｍ付近に感度のピークを有する。
【０１０３】
上述したように制御回路２０により読取用ラインセンサ（ＣＣＤ）２１のＲ，Ｇ，Ｂ出力を算出させると、実施例２の図５のように、補正前では色ムラ（色度ムラ）が発生する。実施例２では、これを補正用の青色ＬＥＤ４９個のうち１個を除いた４８個を擬似白色ＬＥＤ８の０．０７倍の発光量で点灯させることにより、図６に示したように色ムラを補正している。
【０１０４】
この実施例２における読取用ラインセンサ（ＣＣＤ）２１のＲ，Ｇ，Ｂ出力の値すなわちＲ，Ｇ，Ｂ輝度の出力の値を主走査ライン上の位置との関係で示すと、表１のようになる。尚、この表１では、実施例２における色ムラ（色度ムラ）の補正前と補正後のＲ出力値，Ｇ出力値，Ｂ出力値を、Ｒ出力（赤出力），Ｇ出力（緑出力），Ｂ出力（青出力）としてそれぞれ求めて示したものである。
【０１０５】
【表１】
2014053882.tif 000003
表１のＲ出力（Ｒ出力値），Ｇ出力（Ｇ出力値），Ｂ出力（Ｂ出力値）を求めるに際しては、主走査方向の中心を主走査基準位置Ｂｐとし、主走査基準位置Ｂｐを「０」として、主走査基準位置Ｂｐからの距離をｘ（主走査基準位置Ｂｐから所定距離だけ離れた位置までの距離）としている。この表１において距離ｘはｘ＝８７ｍｍになっている。
【０１０６】
しかも、表１では、補正前のＲ出力の値を基準として規格化したときの出力、即ち補正前のＲ出力の値を基準出力として求めたＲ出力，Ｇ出力，Ｂ出力を示している。この規格化に際しては、表１では、主走査方向の距離「０」（主走査方向の中心）におけるＲ出力を基準出力「１．００」としている。
【０１０７】
しかも、表１では、距離「０」におけるＧ出力，Ｂ出力と、距離ｘ＝８７ｍｍにおけるＲ出力，Ｇ出力，Ｂ出力が、基準出力「１．００」の比としてそれぞれ求められている。各出力は、実施例２の補正前と実施例２の補正後に対してそれぞれ求められている。
【０１０８】
（実施例２の補正前のＲ出力，Ｇ出力，Ｂ出力）
実施例２の補正前では、表１におけるように、距離「０」におけるＧ出力が「１．０８」となり、距離「０」におけるＢ出力が「１．０９」となっている。さらに、実施例２の補正前では、距離ｘ＝８７ｍｍにおけるＲ出力が「１．００」となり、距離ｘ＝８７ｍｍにおけるＧ出力が「１．０８」となり、距離ｘ＝８７ｍｍにおけるＢ出力が「１．０９」となっている。
【０１０９】
また、実施例２の補正前では、距離「０」におけるＲ出力と距離ｘのＲ出力の差が「０．００」となり、距離「０」におけるＧ出力と距離ｘのＧ出力の差が「０．００」となり、距離「０」におけるＢ出力と距離ｘのＢ出力の差が「０．００」となっている。
【０１１０】
（実施例２の補正後のＲ出力，Ｇ出力，Ｂ出力）
実施例２の補正後では、表１におけるように、距離「０」におけるＲ出力が「１．００」となり、距離「０」におけるＧ出力が「１．０８」となり、距離「０」におけるＢ出力が「１．１７」となっている。さらに、実施例２の補正後では、距離ｘ＝８７ｍｍにおけるＲ出力が「１．００」となり、距離ｘ＝８７ｍｍにおけるＧ出力が「１．０８」となり、距離ｘ＝８７ｍｍにおけるＢ出力が「１．１７」となっている。
【０１１１】
また、実施例２の補正後では、距離「０」におけるＲ出力と距離ｘのＲ出力の差が「０．００」となり、距離「０」におけるＧ出力と距離ｘのＧ出力の差が「０．００」となり、距離「０」におけるＢ出力と距離ｘのＢ出力の差が「０．００」となっている。
【０１１２】
この表１から分かるように、読取用ラインセンサ（ＣＣＤ）２１のＲ，Ｇ，Ｂ出力を見ると（補正前の赤出力で規格化した）、補正前も補正後も色ムラの発生した主走査位置ｘ＝８７ｍｍでも、その位置と離れたｘ＝０ｍｍでもＲ出力，Ｇ出力，Ｂ出力の出力バランスは変わらない。
【０１１３】
しかし、実施例３における読取用ラインセンサ（ＣＣＤ）２１の補正前は、Ｒ出力，Ｇ出力，Ｂ出力の出力バランスに色度ムラが生じている。表２は、この実施例３における読取用ラインセンサ（ＣＣＤ）２１の補正前と補正後のＲ，Ｇ，Ｂ出力の値を主走査ライン上の位置との関係で示したものである。
【０１１４】
【表２】
2014053882.tif 000004
この表２は、表１と同様に補正前のＲ出力「赤出力」で規格化したＲ出力，Ｇ出力，Ｂ出力、即ち、主走査方向の距離ｘが「０」におけるＲ出力を基準出力「１．００」となっている。また、距離ｘ＝０におけるＧ出力，Ｂ出力と、距離ｘ＝８７ｍｍのＲ出力，Ｇ出力，Ｂ出力を求めている。
【０１１５】
（実施例３の補正前のＲ出力，Ｇ出力，Ｂ出力）
実施例３の補正前では、表２におけるように、距離「０」におけるＧ出力が「１．０８」となり、距離「０」におけるＢ出力が「１．０３」となっている。さらに、実施例２の補正前では、距離ｘ＝８７ｍｍにおけるＲ出力が「１．００」となり、距離ｘ＝８７ｍｍにおけるＧ出力が「１．０８」となり、距離ｘ＝８７ｍｍにおけるＢ出力が「０．９９」となっている。
【０１１６】
また、実施例３の補正前では、距離「０」におけるＲ出力と距離ｘのＲ出力の差が「０．００」となり、距離「０」におけるＧ出力と距離ｘのＧ出力の差が「−０．０１」となり、距離「０」におけるＢ出力と距離ｘのＢ出力の差が「−０．０５」となっている。
【０１１７】
この実施例３の場合において補正前は、表２に示したように、ｘ＝０ｍｍのＢ出力（補正前のＲ出力で規格化、即ち補正前のｘ＝０におけるＲ出力を基準出力としたときの基準出力に対するＢ出力の比）が１．０３に対して、ｘ＝８７ｍｍのＢ出力は基準出力に対して０．９９となり、ｘ＝０におけるＢ出力とｘ＝８７ｍｍのＢ出力の差は−０．０５となる主走査位置に対するムラがあった。
【０１１８】
また、補正前ではｘ＝０ｍｍのＲ出力とｘ＝８７ｍｍのＲ出力の差は表２に示すように「０」であったのが、補正後ではｘ＝０ｍｍのＲ出力とｘ＝８７ｍｍのＲ出力の差は表２に示すように０．０３の差を発生している。
【０１１９】
（実施例３の補正後のＲ出力，Ｇ出力，Ｂ出力）
そこで、制御回路２０により、５０個の擬似白色ＬＥＤ８を点灯制御させる際、５０個の擬似白色ＬＥＤ８の全てを一律に所定量（０．９９倍）に減光制御した。この制御により、実施例３の補正後では、表２におけるように、距離「０」におけるＲ出力が「１．００」となり、距離「０」におけるＧ出力が「１．１１」となり、距離「０」におけるＢ出力が「１．０６」となっている。さらに、実施例３の補正後では、距離ｘ＝８７ｍｍにおけるＲ出力が「１．０３」となり、距離ｘ＝８７ｍｍにおけるＧ出力が「１．１２」となり、距離ｘ＝８７ｍｍにおけるＢ出力が「１．０５」となっている。
【０１２０】
また、実施例３の補正後では、距離「０」におけるＲ出力と距離ｘのＲ出力の差が「０．０２」となり、距離「０」におけるＧ出力と距離ｘのＧ出力の差が「０．００」となり、距離「０」におけるＢ出力と距離ｘのＢ出力の差が「−０．０２」となっている。
【０１２１】
この表２から分かるように、５０個の擬似白色ＬＥＤ８の全てを一律に所定量（０．９９倍）に減光制御したことにより、Ｒ出力の主走査位置のムラは０．０２に、Ｂ出力の主走査位置のムラは−０．０２となり、ＲＧＢバランスすなわちＲ出力，Ｇ出力，Ｂ出力のバランスが改善された。
【０１２２】
本実施例のように、補正用の青色ＬＥＤ９の点灯数が少ないときにはＲＧＢ出力が主走査位置でムラとなりやすく、擬似白色ＬＥＤ８を所定量減光させるとこのムラは抑制される。
【０１２３】
（補足説明１）
以上説明したように、この発明の実施の形態では、複数の擬似白色ＬＥＤを用いる照明光学系で色度バラツキが大きくても補正用の青色ＬＥＤを用いることで原稿面上の色度バラツキを低減させることを目的としている。
【０１２４】
このため、この発明の実施の形態のスキャナ装置は、青色光を放出する第１の青色ＬＥＤと該第１の青色光を吸収し黄色の波長帯域の光を蛍光する蛍光体からなる擬似白色ＬＥＤ８が複数個と、青色光を発光する第２の青色ＬＥＤ９が複数個と、前記擬似白色ＬＥＤ８からの光を被照射部へ照明させる第１の照明光学系（導光板６，１０ａ）と、前記第２の青色ＬＥＤからの光を前記被照射部へ照明させる第２の照明光学系（導光板６，１０ｂ）と、被照射部からの光を読み取るラインセンサ２１と前記ラインセンサ２１まで前記被照射部からの光を伝搬させる案内読取光学系１１ａ、とを備えている。
【０１２５】
しかも、前記擬似白色ＬＥＤ８を点灯させたときのラインセンサ２１の赤出力、緑出力、青出力のバランスが所定の範囲となるように、前記第２の青色ＬＥＤ９のうち所定の青色ＬＥＤ９を適量の発光量で光らせるようになっている。
【０１２６】
この構成によれば、複数の擬似白色ＬＥＤ８と、複数の補正用の第２の青色ＬＥＤ９とを光源とし、擬似白色ＬＥＤ８を点灯したときのラインセンサ２１の赤出力、緑出力、青出力のバランスを所定の範囲となるように複数の補正用の第２の青色ＬＥＤ９のうち所定の青色ＬＥＤ９を適量の発光量で発光させられるという構成としたから、色度バラツキの大きい擬似白色ＬＥＤ８を用いても原稿面上で色度バラツキを低減することができるようになった。
【０１２７】
（補足説明２）
また、この発明の実施の形態のスキャナ装置は、青色光を放出する第１の青色ＬＥＤと該第１の青色光を吸収し黄色の波長帯域の光を蛍光する蛍光体からなる擬似白色ＬＥＤ８が複数個と、青色光を発光する第２の青色ＬＥＤ９が複数個と、前記擬似白色ＬＥＤ８からの光を被照射部へ照明させる第１の照明光学系（導光板６，１０ａ）と、前記第２の青色ＬＥＤ９からの光を前記被照射部へ照明させる第２の照明光学系（導光板６，１０ｂ）と、被照射部からの光を読み取るラインセンサ２１と前記ラインセンサ２１まで前記被照射部からの光を伝搬させる読取光学系１１を備えている。
【０１２８】
しかも、前記擬似白色ＬＥＤ８を点灯させたときのラインセンサ２１の赤出力、緑出力、青出力のバランスが所定の範囲となるように、前記第２の青色ＬＥＤ９のうち所定の青色ＬＥＤ９を適量の発光量で光らせ、かつ、前記擬似白色ＬＥＤ８の全てを減光させるようになっている。
【０１２９】
この構成によれば、所定の青色ＬＥＤを適量の発光量で光らせ、かつ、擬似白色ＬＥＤを全て一律に減光させることによって、色度バラツキの大きい擬似白色ＬＥＤ８を用いても原稿面上で色度バラツキを低減することができると共に、補正用の青色ＬＥＤの点灯数が少ない条件下であっても原稿面上の色度ばらつき、特にラインセンサのＲ，Ｇ，Ｂ出力の位置ばらつきとＲ，Ｇ，Ｂ出力比のアンバランスをそれぞれ低減することができる。
【０１３０】
（補足説明３）
また、上述した補足説明１の目的を達成するため、この発明の実施の形態のスキャナ装置では前記第２青色ＬＥＤのピーク波長は、複数個の第１の青色ＬＥＤのピーク波長のうち最も短い波長よりも短い、もしくは、最も長い波長よりも長く設定されている。
【０１３１】
この構成によれば、上記補足説明１の構成に加えて、補正用の第２の青色ＬＥＤ９のピーク波長を擬似白色ＬＥＤ８に使われる青色ＬＥＤ（図示せず）のピーク波長のバラツキの最短波長以下、もしくは、最長波長以上であるという構成としたから、色度バラツキの大きい擬似白色ＬＥＤ８を用いても原稿面上で色度バラツキを確実に低減することができるようになった。
【０１３２】
（補足説明４）
また、この発明の実施の形態では、補足説明１における目的に加えて従来の照明光学系よりも部品点数を増やさないことを目的としている。
【０１３３】
このため、この発明の実施の形態のスキャナ装置では、第１照明光学系と第２照明光学系が共通であるひとつの光学系（図１の導光板６）としている。
【０１３４】
この構成によれば、「第１照明光学系と第２照明光学系が共通である一つの光学系（導光板６）であるという構成としたから、従来の照明光学系と同じ部品点数にできるようになった。
【０１３５】
（補足説明５）
更に、この発明の実施の形態のスキャナ装置では、上記補足説明１〜３の目的に加えて従来の光源部分と同等のサイズとすることを目的とする。
【０１３６】
この目的を達成するため、この発明の実施の形態のスキャナ装置では、前記擬似白色ＬＥＤ８（光源）と前記第２の青色ＬＥＤ９（光源）が一枚の実装ボード７上に実装されている。
【０１３７】
この構成によれば、「複数の擬似白色ＬＥＤ８と複数の補正用の第２の青色ＬＥＤ９とを１枚の実装ボード７に実装するという構成としたから、従来の光源部分のサイズと同等とすることができるようになった。
【０１３８】
（補足説明６）
この発明の実施の形態のスキャナ装置では、上記補足説明１〜４の目的に加えて従来の光源部分と同等のサイズとすることを目的とする。
【０１３９】
このため、この発明の実施の形態のスキャナ装置では、前記擬似白色ＬＥＤ８（光源）と前記第２の青色ＬＥＤが９（光源）が一枚の実装ボード７上に交互に実装されている。
【０１４０】
この構成によれば、擬似白色ＬＥＤ８と補正用の第２の青色ＬＥＤ９とを１枚の実装ボード（実装基板）７に交互に実装するという構成としたから、従来の光源部分のサイズと同等とすることができ、かつ、色度バラツキの大きい擬似白色ＬＥＤ８を用いても原稿面上で色度バラツキを確実に低減することができるようになった。
【産業上の利用可能性】
【０１４１】
上記画像読取装置を搭載する複合機（コピー機）のみならず、検査装置の照明光学系に、例えば、液晶表示装置（液晶テレビ）のガラス基板（マザーガラス）のごみ検出のためのライン照明などにも流用することができる。
【符号の説明】
【０１４２】
１  コンタクトガラス
２  原稿載置面
３  照明光学系
４  ミラー
５  光源ユニット
６  導光板
７  実装ボード
８  擬似白色ＬＥＤ
９  青色ＬＥＤ（第２の青色ＬＥＤ）
８Ｌ  配列ライン
９Ｌ  配列ライン
１０  照明装置
１０ａ  第１の照明光学系
１０ｂ  第２の照明光学系
１１  読取光学系
１１ａ  案内光学系
１２  縮小光学レンズ
２０  制御回路
２１  ラインセンサ
【先行技術文献】
【特許文献】
【０１４３】
【特許文献１】特開２００９−１６９１９８
【特許文献２】特開２００９−２４５９０２
【特許文献３】特許第４５１１６３４号
【特許文献４】特開２０１１−１９３２０５
【図１】
2014053882.tif 000005
【図２】
2014053882.tif 000006
【図２Ａ】
2014053882.tif 000007
【図３】
2014053882.tif 000008
【図４】
2014053882.tif 000009
【図５】
2014053882.tif 000010
【図６】
2014053882.tif 000011
【図７】
2014053882.tif 000012
【図８】
2014053882.tif 000013
【図９】
2014053882.tif 000014
【図１０】
2014053882.tif 000015
【図１１】
2014053882.tif 000016
【図１２】
2014053882.tif 000017
【図１３】
2014053882.tif 000018